(57)【要約】【課題】ナースカートに取り付けられたバッテリを容易に交換することが可能なナースカートおよびナースカートシステムを提供する。【解決手段】このナースカート１００は、血圧等測定器Ｋなどの医療機器およびノートパソコンＮなどの情報機器が配置される本体部７と、充電可能なバッテリ１と、バッテリ１がガイドされて着脱可能に取り付けられるバッテリ取付部２と、バッテリ取付部２に取り付けられたバッテリ１からの直流電力を商用電源の電圧に対応する所定の電圧の交流電力に変換する電力変換部４と、所定の電圧の交流電力を医療機器に供給するための、電源プラグ（アダプター３２ａおよび３２ｂ）を接続可能な第１コンセント５および第２コンセント６とを備える。【選択図】図２
2017035434.tif 000002
【特許請求の範囲】
【請求項１】
医療機器および情報機器が配置される本体部と、
充電可能なバッテリと、
前記バッテリがガイドされて着脱可能に取り付けられるバッテリ取付部と、
前記バッテリ取付部に取り付けられた前記バッテリからの直流電力を商用電源の電圧に対応する所定の電圧の交流電力に変換する電力変換部と、
前記所定の電圧の交流電力を少なくとも前記医療機器に供給するための、電源プラグを接続可能なコンセントとを備える、ナースカート。
【請求項２】
前記バッテリ取付部は、前記バッテリと電気的に接続される接続端子と、前記バッテリの端子を前記接続端子の位置までガイドするガイド部とを含む、請求項１に記載のナースカート。
【請求項３】
前記ガイド部は、上方から下方に延びるように形成され、前記バッテリの端子を前記バッテリ取付部の前記接続端子に導くように、前記バッテリを上方から下方にスライド移動させて前記バッテリ取付部に取付可能に構成されている、請求項２に記載のナースカート。
【請求項４】
前記バッテリ取付部は、前記バッテリが取り付けられることにより前記バッテリと前記バッテリ取付部とが電気的に接続された状態で、前記バッテリが外れるのを防止する外れ防止部を有している、請求項１〜３のいずれか１項に記載のナースカート。
【請求項５】
前記本体部は、前記バッテリ取付部に取り付けられた前記バッテリと交換される予備の前記バッテリを収納可能な予備バッテリ収納部を含む、請求項１〜４のいずれか１項に記載のナースカート。
【請求項６】
前記本体部は、前記医療機器および前記情報機器を載置可能な天板部と、前記天板部を支持する支柱部とを含み、
前記バッテリ取付部は、前記支柱部の外表面に設けられている、請求項１〜５のいずれか１項に記載のナースカート。
【請求項７】
前記バッテリ取付部と前記電力変換部とを電気的に接続する配線をさらに備え、
前記配線は、前記支柱部の内部を通されている、請求項６に記載のナースカート。
【請求項８】
前記バッテリは、前記支柱部の幅と略同じ、または、前記支柱部の幅より小さい大きさを有する直方体形状に形成されている、請求項６または７に記載のナースカート。
【請求項９】
前記本体部は、ユーザに把持される把持部を含み、
前記バッテリ取付部は、前記把持部近傍に設けられている、請求項１または２に記載のナースカート。
【請求項１０】
前記本体部は、前記医療機器および前記情報機器を載置可能な天板部と、前記天板部と前記電力変換部との間に配置され、前記天板部に沿って延びる導電性のシールド部とを含む、請求項１〜９のいずれか１項に記載のナースカート。
【請求項１１】
前記バッテリは、前記バッテリ取付部に取り付けられた状態で外部に露出するように構成されている、請求項１〜１０のいずれか１項に記載のナースカート。
【請求項１２】
前記バッテリ取付部は、複数設けられ、
複数の前記バッテリ取付部は、互いに、前記電力変換部に対して並列接続されることにより電気的に接続されている、請求項１〜１１のいずれか１項に記載のナースカート。
【請求項１３】
複数の前記バッテリ取付部に対して設けられ、前記バッテリ取付部に取り付けられた前記バッテリの残量を表示するバッテリ残量表示部をさらに備える、請求項１２に記載のナースカート。
【請求項１４】
前記バッテリ取付部から前記電力変換部に電力が供給される通電状態と、前記バッテリ取付部から前記電力変換部に電力が供給されない非通電状態とを切り替え可能な切替スイッチをさらに備える、請求項１２または１３に記載のナースカート。
【請求項１５】
医療機器および情報機器が配置される本体部と、充電可能なバッテリと、前記バッテリがガイドされて着脱可能に取り付けられるバッテリ取付部と、前記バッテリ取付部に取り付けられた前記バッテリからの直流電力を商用電源の電圧に対応する所定の電圧の交流電力に変換する電力変換部と、前記所定の電圧の交流電力を少なくとも前記医療機器に供給するための、電源プラグを接続可能なコンセントとを含むナースカートと、
所定の場所に固定的に設置され、前記ナースカートの前記バッテリ取付部から取り外された前記バッテリを複数取り付けて同時に充電することが可能な充電ステーションとを備える、ナースカートシステム。
【請求項１６】
前記バッテリ取付部は、複数設けられ、
複数の前記バッテリ取付部は、互いに、前記電力変換部に対して並列接続されることにより電気的に接続されている、請求項１５に記載のナースカートシステム。
【請求項１７】
前記ナースカートは、複数の前記バッテリ取付部に対して設けられ、前記バッテリ取付部に取り付けられた前記バッテリの残量を表示するバッテリ残量表示部をさらに含む、請求項１６に記載のナースカートシステム。
【請求項１８】
前記ナースカートは、前記バッテリ取付部から前記電力変換部に電力が供給される通電状態と、前記バッテリ取付部から前記電力変換部に電力が供給されない非通電状態とを切り替え可能な切替スイッチをさらに含む、請求項１６または１７に記載のナースカートシステム。
【発明の詳細な説明】
【技術分野】
【０００１】
この発明は、ナースカートおよびナースカートシステムに関し、特に、バッテリを取り付け可能なナースカートおよびナースカートシステムに関する。
【背景技術】
【０００２】
従来、バッテリを取り付け可能なナースカートが知られている（たとえば、特許文献１参照）。
【０００３】
上記特許文献１には、本体部と、本体部の収納部内に収納されたバッテリおよび補助電源本体とを備えたナースカートが開示されている。ナースカート上（本体部）には、携帯型パソコンを配置可能である。
【先行技術文献】
【特許文献】
【０００４】
【特許文献１】特開２０１２−２１７６８５号公報
【発明の概要】
【発明が解決しようとする課題】
【０００５】
しかしながら、上記特許文献１のナースカートでは、バッテリが箱型の比較的狭い本体部に収納されており、容易にバッテリを交換することができないという問題点がある。
【０００６】
この発明は、上記のような課題を解決するためになされたものであり、この発明の１つの目的は、ナースカートに取り付けられたバッテリを容易に交換することが可能なナースカートおよびナースカートシステムを提供することである。
【課題を解決するための手段】
【０００７】
この発明の第１の局面によるナースカートは、医療機器および情報機器が配置される本体部と、充電可能なバッテリと、バッテリがガイドされて着脱可能に取り付けられるバッテリ取付部と、バッテリ取付部に取り付けられたバッテリからの直流電力を商用電源の電圧に対応する所定の電圧の交流電力に変換する電力変換部と、所定の電圧の交流電力を少なくとも医療機器に供給するための、電源プラグを接続可能なコンセントとを備える。なお、医療機器とは、電力の供給を受けて稼動され、人や動物の疾病の診断、治療または予防に使用される機器である。また、情報機器とは、ノートパソコンやタブレット端末などの情報にアクセスするために使用される機器である。また、商用電源とは、電力会社から消費者に届けられる所定の電圧値の交流電力である。
【０００８】
この発明の第１の局面によるナースカートでは、上記のように、バッテリがガイドされて着脱可能に取り付けられるバッテリ取付部を設ける。これにより、ガイドに沿ってバッテリの取り付け、および、取り外しを行うことができるので、ナースカートに取り付けられた充電量が少なくなったバッテリを容易に取り外して、充電済みのバッテリと容易に交換することができる。
【０００９】
また、バッテリ取付部に取り付けられたバッテリからの直流電力を商用電源の電圧に対応する所定の電圧の交流電力に変換する電力変換部と、所定の電圧の交流電力を少なくとも医療機器に供給するための、電源プラグを接続可能なコンセントとを設ける。ここで、医療機器の分野では、一般的に、各種医療機器は、所定電圧値の商用電源から電力供給を受けることにより使用可能（推奨される状態で使用可能）となるように設計されている。したがって、上記のように構成することにより、電力変換部において、バッテリからの直流電力を商用電源の電圧に対応する所定の電圧の交流電力に変換することができるので、ナースカート上（本体部）に配置された医療機器の電源プラグをコンセントに接続することにより、医療機器の使用時間を延長することができる。また、情報機器に商用電源から電力を供給する際のように各種情報機器に対応したＡＣ−ＤＣアダプターを使用した場合には、情報機器に電力を供給することができるので、ナースカート上（本体部）に配置された情報機器の使用時間も延長することができる。その結果、ユーザ（看護師など）は、ナースカートを用いて比較的長い時間継続して巡回を行うことができる。
【００１０】
上記第１の局面によるナースカートにおいて、好ましくは、バッテリ取付部は、バッテリと電気的に接続される接続端子と、バッテリの端子を接続端子の位置までガイドするガイド部とを含む。このように構成すれば、ガイド部により、バッテリと接続端子とが電気的に接続される位置に、バッテリを容易にガイドすることができる。つまり、バッテリ取付部にバッテリを容易に取り付けることができる。その結果、ナースカートに取り付けられたバッテリをより容易に交換することができる。
【００１１】
この場合、好ましくは、ガイド部は、上方から下方に延びるように形成され、バッテリの端子をバッテリ取付部の接続端子に導くように、バッテリを上方から下方にスライド移動させてバッテリ取付部に取付可能に構成されている。このように構成すれば、バッテリが上方から下方にスライド移動されるので、バッテリの自重を利用してバッテリをガイド部に沿って容易にスライド移動させることができる。その結果、バッテリ取付部にバッテリをより容易に取り付けることができ、ナースカートに取り付けられたバッテリを一層容易に交換することができる。また、取り付け状態でバッテリに下方への自重が働くので、バッテリが上方に外れにくいという利点もある。
【００１２】
上記第１の局面によるナースカートにおいて、好ましくは、バッテリ取付部は、バッテリが取り付けられることによりバッテリとバッテリ取付部とが電気的に接続された状態で、バッテリが外れるのを防止する外れ防止部を有している。このように構成すれば、バッテリに振動や衝撃が加わりやすいナースカートの使用時（移動時）において、外れ防止部によりバッテリとバッテリ取付部とが電気的に接続された状態を確実に維持することができる。
【００１３】
上記第１の局面によるナースカートにおいて、好ましくは、本体部は、バッテリ取付部に取り付けられたバッテリと交換される予備のバッテリを収納可能な予備バッテリ収納部を含む。このように構成すれば、バッテリ取付部に取り付けられたバッテリの残量が少なくなった（なくなった）場合に、予備バッテリ収納部に収納されている予備のバッテリと即座に交換することができるので、所定の充電位置にナースカートごとに移動させて充電を行う場合などとは異なり、充電時に拘束されることがないので、充電待機時間がない。これにより、ユーザがナースカートから離れることなく、医療機器および情報機器の使用を継続することができる。その結果、ナースカート上に配置された医療機器の使用時間をより延長することができる。
【００１４】
上記第１の局面によるナースカートにおいて、好ましくは、本体部は、医療機器および情報機器を載置可能な天板部と、天板部を支持する支柱部とを含み、バッテリ取付部は、支柱部の外表面に設けられている。このように構成すれば、支柱部の外表面に設けられたバッテリ取付部にバッテリが取り付けられるので、ユーザから視認することができない本体部内などにバッテリが取り付けられる場合と比較して、バッテリをより容易に交換することができる。
【００１５】
この場合、好ましくは、バッテリ取付部と電力変換部とを電気的に接続する配線をさらに備え、配線は、支柱部の内部を通されている。このように構成すれば、配線が外部に露出しないので、ナースカートの使用時において、配線が作業の妨げになるのを防止することができる。また、配線が外部に露出している場合と異なり、配線に外部の物が引っかかるなどして配線に負荷が加わるのを抑制することができるので、配線に加わる負荷に起因する断線を防止することができる。また、既存の支柱部の内部が配線スペースとなるので、配線のための専用スペースを設ける必要がなく、装置構成が複雑化するのを抑制することができる。
【００１６】
上記本体部が支柱部を含む構成において、好ましくは、バッテリは、支柱部の幅と略同じ、または、支柱部の幅より小さい大きさを有する直方体形状に形成されている。このように構成すれば、所定方向において、支柱部からバッテリが大きく突き出すことなく、バッテリを支柱部（バッテリ取付部）に取り付けることができるので、支柱部（バッテリ取付部）に取り付けられたバッテリが作業の妨げになるのを抑制することができる。
【００１７】
上記第１の局面によるナースカートにおいて、好ましくは、本体部は、ユーザに把持される把持部を含み、バッテリ取付部は、把持部近傍に設けられている。このように構成すれば、ナースカートを操作するユーザの手が容易に届く範囲にバッテリ取付部が設けられるので、バッテリをより容易に交換することができる。
【００１８】
上記第１の局面によるナースカートにおいて、好ましくは、本体部は、医療機器および情報機器を載置可能な天板部と、天板部と電力変換部との間に配置され、天板部に沿って延びる導電性のシールド部とを含む。このように構成すれば、シールド部によって、電力変換部において発生する電磁波の影響により医療機器の測定値が乱れるのを抑制することができる。
【００１９】
上記第１の局面によるナースカートにおいて、好ましくは、バッテリは、バッテリ取付部に取り付けられた状態で外部に露出するように構成されている。このように構成すれば、バッテリを外部から視認することができるので、バッテリをより容易に交換することができる。
【００２０】
上記第１の局面によるナースカートにおいて、好ましくは、バッテリ取付部は、複数設けられ、複数のバッテリ取付部は、互いに、電力変換部に対して並列接続されることにより電気的に接続されている。このように構成すれば、複数のバッテリ取付部が互いに電力変換部に対して並列接続されているので、一部のバッテリの残量がなくなった場合やバッテリ交換時に一部のバッテリを取り外した場合に、電力変換部への電力の供給が途切れることを防止することができる。
【００２１】
この場合、好ましくは、複数のバッテリ取付部に対して設けられ、バッテリ取付部に取り付けられたバッテリの残量を表示するバッテリ残量表示部をさらに備える。このように構成すれば、バッテリ残量表示部によりユーザが容易にバッテリの残量を把握することができる。
【００２２】
上記複数のバッテリ取付部がそれぞれ電力変換部に対して並列接続される構成において、好ましくは、バッテリ取付部から電力変換部に電力が供給される通電状態、および、バッテリ取付部から電力変換部に電力が供給されない非通電状態とを切り替え可能な切替スイッチをさらに備える。このように構成すれば、１つまたは複数のバッテリから電力変換部に電力を供給する状態で装置を使用することができる。また、１つのバッテリから電力変換部に電力を供給する場合には、バッテリ交換時に使用中のバッテリを取り外す前に、次に使用するバッテリが取り付けられたバッテリ取付部を通電状態にしておくことにより、一時的に電力変換部への電力の供給が途切れるのを防止することができる。
【００２３】
この発明の第２の局面によるナースカートシステムは、医療機器および情報機器が配置される本体部と、充電可能なバッテリと、バッテリがガイドされて着脱可能に取り付けられるバッテリ取付部と、バッテリ取付部に取り付けられたバッテリからの直流電力を商用電源の電圧に対応する所定の電圧の交流電力に変換する電力変換部と、所定の電圧の交流電力を少なくとも医療機器に供給するための、電源プラグを接続可能なコンセントとを含むナースカートと、所定の場所に固定的に設置され、ナースカートのバッテリ取付部から取り外されたバッテリを複数取り付けて同時に充電することが可能な充電ステーションとを備える。
【００２４】
この発明の第２の局面によるナースカートシステムでは、上記のように、バッテリがガイドされて着脱可能に取り付けられるバッテリ取付部を設ける。これにより、ガイドに沿ってバッテリの取り付け、および、取り外しを行うことができるので、ナースカートに取り付けられたバッテリを容易に交換することができる。特に、バッテリが比較的狭い場所に収納される場合などに、バッテリをガイドすることによって、バッテリを容易に交換することができるため、ユーザの負担を軽減することができる。
【００２５】
また、バッテリ取付部に取り付けられたバッテリからの直流電力を商用電源の電圧に対応する所定の電圧の交流電力に変換する電力変換部と、所定の電圧の交流電力を少なくとも医療機器に供給するための、電源プラグを接続可能なコンセントとを設ける。ここで、医療機器の分野では、一般的に、各種医療機器は、所定電圧値の商用電源から電力供給を受けることにより使用可能（推奨される状態で使用可能）となるように設計されている。したがって、上記のように構成することにより、電力変換部において、バッテリからの直流電力を商用電源の電圧に対応する所定の電圧の交流電力に変換することができるので、ナースカート上（本体部）に配置された医療機器の電源プラグをコンセントに接続することにより、医療機器の使用時間を延長することができる。また、情報機器に商用電源から電力を供給する際のように各種情報機器に対応したＡＣ−ＤＣアダプターを使用した場合には、情報機器に電力を供給することができるので、ナースカート上（本体部）に配置された情報機器の使用時間も延長することができる。その結果、ユーザ（看護師など）は、ナースカートを用いて比較的長い時間継続して巡回を行うことができる。
【００２６】
上記第２の局面によるナースカートシステムにおいて、好ましくは、バッテリ取付部は、複数設けられ、複数のバッテリ取付部は、それぞれ、電力変換部に対して並列接続されることにより電気的に接続されている。このように構成すれば、複数のバッテリ取付部が互いに電力変換部に対して並列接続されているので、一部のバッテリの残量がなくなった場合やバッテリ交換時に一部のバッテリを取り外した場合に、電力変換部への電力の供給が途切れることを防止することができる。
【００２７】
この場合、好ましくは、ナースカートは、複数のバッテリ取付部に対して１つずつ設けられ、バッテリ取付部に取り付けられたバッテリの残量を表示する複数のバッテリ残量表示部をさらに含む。このように構成すれば、バッテリ残量表示部によりユーザが容易にバッテリの残量を把握することができるので、バッテリ残量の少ないバッテリを適切に交換することができる。
【００２８】
上記複数のバッテリ取付部がそれぞれ電力変換部に対して並列接続される構成において、好ましくは、ナースカートは、バッテリ取付部から電力変換部に電力が供給される通電状態、および、バッテリ取付部から電力変換部に電力が供給されない非通電状態とを切り替え可能な切替スイッチをさらに含む。このように構成すれば、１つまたは複数のバッテリから電力変換部に電力を供給する状態で装置を使用することができる。また、１つのバッテリから電力変換部に電力を供給する場合には、バッテリ交換時に使用中のバッテリを取り外す前に、次に使用するバッテリが取り付けられたバッテリ取付部を通電状態にしておくことにより、一時的に電力変換部への電力の供給が途切れるのを防止することができる。
【発明の効果】
【００２９】
本発明によれば、上記のように、ナースカートに取り付けられたバッテリを容易に交換することが可能なナースカートおよびナースカートシステムを提供することができる。
【図面の簡単な説明】
【００３０】
【図１】本発明の第１および第２実施形態によるナースカートシステムの全体構成を示したブロック図である。
【図２】本発明の第１実施形態によるナースカートシステムの全体構成を示した斜視図である。
【図３】本発明の第１実施形態によるバッテリを示した斜視図である。
【図４】本発明の第１実施形態によるバッテリ取付部を示した斜視図である。
【図５】本発明の第１実施形態によるナースカートを模式的に示した一部破断の側面図である。
【図６】本発明の第１実施形態によるナースカートの昇降時における支柱部内の配線について説明するための図である。
【図７】本発明の第１実施形態による充電ステーションを示した斜視図である。
【図８】本発明の第２実施形態によるナースカートシステムの全体構成を示した斜視図である。
【図９】本発明の第２実施形態によるナースカートを模式的に示した一部破断の側面図である。
【図１０】本発明の第３実施形態によるナースカートシステムの全体構成を示したブロック図である。
【図１１】本発明の第３実施形態によるナースカートシステムの全体構成を示した斜視図である。
【図１２】本発明の第３実施形態の変形例によるナースカートシステムの全体構成を示した斜視図である。
【発明を実施するための形態】
【００３１】
以下、本発明の実施形態を図面に基づいて説明する。
【００３２】
（第１実施形態）
図１〜図７を参照して、本発明の第１実施形態によるナースカートシステム１００の構成について説明する。
【００３３】
ナースカートシステム１００は、図１に示すように、後述する充電可能なバッテリ１が取り付けられるナースカート１００ａと、ナースカート１００ａから取り外されたバッテリ１の充電を行う充電ステーション１００ｂとを備えている。
【００３４】
［ナースカートの構成］
図１〜図６を参照して、ナースカート１００ａの構成について説明する。
【００３５】
図２に示すナースカート１００ａは、病院などにおいて、巡回時に用いられる。また、ナースカート１００ａは、ユーザ（看護師など）により押し運び可能に構成されている。また、ナースカート１００ａは、血圧等測定器ＫおよびノートパソコンＮなどを配置可能に構成されている。
【００３６】
血圧等測定器Ｋは、医療機器の一種である。具体的には、血圧等測定器Ｋは、人間の血圧、脈拍および体温などを測定可能に構成されている。また、血圧等測定器Ｋは、通信部（図示せず）を含んでおり、所定のサーバー（図示せず）に血圧などの測定結果を送信することが可能に構成されている。なお、医療機器とは、電力の供給を受けて稼動され、人や動物の疾病の診断、治療または予防に使用される機器である。ノートパソコンは、情報機器の一種である。情報機器とは、患者に関する情報へのアクセスなどに使用される機器である。
【００３７】
ここで、以下の説明では、ナースカート１００ａの直進方向を前方（Ｘ１方向）、前方（Ｘ１方向）の逆方向を後方（Ｘ２方向）とする。なお、後方（Ｘ２方向）は、ナースカート１００ａに対して、通常、ナースカート１００ａを操作するユーザが位置する側の方向でもある。また、前後方向（Ｘ方向）および上下方向（Ｚ方向）に交差する方向を左右方向（Ｙ２方向、Ｙ１方向）とする。
【００３８】
ナースカート１００ａは、図１に示すように、バッテリ１と、バッテリ取付部２と、配線３と、電力変換部４と、第１コンセント５および第２コンセント６と、本体部７（図２参照）とを備えている。なお、第１コンセント５および第２コンセント６は、共に、特許請求の範囲の「コンセント」の一例である。
【００３９】
バッテリ１は、血圧等測定器ＫおよびノートパソコンＮの電力源としてナースカート１００ａに取付可能に構成されている。また、バッテリ１は、リチウムイオン電池１ａを含んでいる。また、バッテリ１は、図２に示すように、直方体形状に形成されている。また、バッテリ１の左右方向（Ｙ方向）の幅Ｗ１は、本体部７の後述する支柱部７２の左右方向（Ｙ方向）の幅Ｗ２と略同じ大きさである。
【００４０】
バッテリ１は、図３に示すように、溝部１１と、爪部１２と、爪部操作ボタン１３と、切欠き１４と、端子１５とを含んでいる。なお、図３に示す各方向（Ｘ方向、Ｙ方向およびＺ方向）は、バッテリ１がバッテリ取付部２（図２参照）に取り付けられた状態における方向を示している。
【００４１】
溝部１１は、バッテリ１の左右方向（Ｙ方向）の各側面の前方側（Ｘ１方向側）に一対設けられている（図３では、右方向側（Ｙ１方向側）のみを示している）。また、溝部１１は、下方（Ｚ２方向）から上方（Ｚ１）に延びる直線状の溝形状に形成されている。また、溝部１１は、ナースカート１００ａ（図２参照）への取り付け時において、バッテリ取付部２の後述するガイド部２２（図４参照）に嵌まり込むように構成されている。そして、溝部１１がガイド部２２に沿ってスライド移動することにより、バッテリ１は、バッテリ取付部２に沿って上方（Ｚ１方向）から下方（Ｚ２方向）にスライド移動するように構成されている。また、バッテリ１は、バッテリ取付部２に取り付けられた状態で外部に露出するように構成されている。
【００４２】
爪部１２は、一対の溝部１１の上方端部（Ｚ１方向端部）近傍にそれぞれ設けられている（図３では、右方向側（Ｙ１方向側）のみを示している）。また、一対の爪部１２は、それぞれ、バッテリ１の左右両面から突出するように構成されている。また、爪部１２は、上側に水平面を有している。また、爪部１２は、ユーザによって爪部操作ボタン１３が押圧されることにより、バッテリ１の内側に引っ込むように構成されている。なお、バッテリ１内には、一対の爪部１２を、それぞれ、バッテリ１の左右方向（Ｙ方向）の外側に付勢するスプリング（図示せず）が内蔵されている。このため、爪部１２は、ユーザによる爪部操作ボタン１３の押圧が解除されることにより、バッテリ１の外側に突出するように構成されている。
【００４３】
バッテリ１の前面側（Ｘ１方向の面側）には、段差部分が設けられている。切欠き１４は、左右方向（Ｙ方向）に並ぶように、この段差部分に一対設けられている。
【００４４】
端子１５は、一対の切欠き１４の内側端面の一部に沿って設けられている。また、端子１５は、リチウムイオン電池１ａからの電力を、バッテリ取付部２に供給可能に構成されている。
【００４５】
バッテリ取付部２は、図２に示すように、本体部７の後述する支柱部７２（支柱下部７２ａ）の外表面に設けられている。また、バッテリ取付部２は、支柱部７２（支柱下部７２ａ）の後方側（Ｘ２方向側）に設けられている。すなわち、バッテリ取付部２は、支柱部７２（支柱下部７２ａ）のユーザ側に設けられている。また、バッテリ取付部２は、バッテリ１がガイドされて着脱可能に取り付けられるように構成されている。また、バッテリ取付部２は、図４に示すように、後方（Ｘ２方向）および上方（Ｚ１方向）が開放された箱形状に形成されている。
【００４６】
バッテリ取付部２は、接続端子２１と、ガイド部２２と、外れ防止部２３とを含んでいる。
【００４７】
接続端子２１は、左右方向（Ｙ方向）に並ぶように一対設けられている。また、接続端子２１は、後方（Ｘ２方向）に突出し、バッテリ１（図３参照）の切欠き１４（図３参照）に対応する板状形状に形成されている。また、接続端子２１は、バッテリ１がバッテリ取付部２に取り付けられた状態で、バッテリ１の端子１５（図３参照）に接触するように、バッテリ１の端子１５に対応する所定位置に設けられている。すなわち、接続端子２１は、バッテリ１がバッテリ取付部２に取り付けられことにより、バッテリ１の端子１５と電気的に接続されるように構成されている。
【００４８】
ガイド部２２は、バッテリ１の端子１５を接続端子２１の位置までガイドすることが可能に構成されている。また、ガイド部２２は、バッテリ取付部２の左右方向（Ｙ方向）の両側面に一対設けられている。また、ガイド部２２は、バッテリ１の溝部１１に対応するように、バッテリ取付部２の左右方向（Ｙ方向）の両側面から内側に突出する凸形状に形成されている。また、ガイド部２２は、上方（Ｚ１方向）から下方（Ｚ２方向）に延びるように形成されている。また、ガイド部２２は、上方からバッテリ１をバッテリ取付部２内に導入可能なように上方（Ｚ１方向）が開放されている。そして、ガイド部２２は、バッテリ１をガイドすることによって、上方（Ｚ１方向）から下方（Ｚ２方向）にスライド移動させて、バッテリ１をバッテリ取付部２に取り付けるように構成されている。
【００４９】
外れ防止部２３は、ガイド部２２の上方端部（Ｚ１方向端部）近傍に孔状に設けられている。また、外れ防止部２３は、バッテリ１がバッテリ取付部２に取り付けられた状態で、バッテリ１の爪部１２（図３参照）が係合するように、バッテリ１の爪部１２に対応する所定位置に設けられている。また、外れ防止部２３は、バッテリ１が取り付けられ、バッテリ１（端子１５）とバッテリ取付部２（接続端子２１）とが電気的に接続された状態で、バッテリ１が外れるのを防止するように構成されている。
【００５０】
詳細には、外れ防止部２３は、バッテリ１の爪部１２がスライド移動して同じ高さ位置まで移動された際に、バッテリ１に内蔵されたスプリング（図示せず）によって爪部１２が外側に押し出されることにより、爪部１２が嵌まり込む（係合する）ように構成されている。その際に、外れ防止部２３の上端は、爪部１２の上側の水平面（上述した三角柱形状のＺ１側の面）と当接するように構成されている。これにより、外れ防止部２３は、バッテリ１の上方（Ｚ１方向）への移動を防止している。なお、バッテリ１の水平方向（Ｘ方向、Ｙ方向）への移動は、ガイド部２２により防止される。
【００５１】
配線３は、図５に示すように、バッテリ取付部２と電力変換部４とを電気的に接続するように構成されている。また、配線３は、本体部７の後述する支柱部７２の内部を通されている。支柱部７２の内部における配線３の構成（配線方法）については後述する。
【００５２】
電力変換部４は、上記の通り、配線３およびバッテリ取付部２を介してバッテリ１と電気的に接続されている。また、電力変換部４は、バッテリ１からの直流電力を商用電源Ｐ（図１参照）の電圧に対応する所定の電圧の交流電力に変換するように構成されている。たとえば、電力変換部４は、バッテリ１からの直流電力を１００Ｖの交流電力に変換するように構成されている。なお、商用電源Ｐとは、電力会社から消費者に届けられる所定の電圧値の交流電力である。
【００５３】
第１コンセント５および第２コンセント６は、それぞれ、配線３１ａおよび３１ｂ（図１参照）により、電力変換部４と電気的に接続されている。また、第１コンセント５および第２コンセント６には、第１コンセント５および第２コンセント６の通電状態（有効）と非通電状態（無効）とを切り替えるコンセント切替スイッチ３２ｃが設けられている。また、第１コンセント５および第２コンセント６は、それぞれ、電源プラグを含むアダプター３２ａおよび３２ｂが接続され、各アダプター３２ａおよび３２ｂを介して血圧等測定器ＫおよびノートパソコンＮに１００Ｖの交流電力を供給可能に構成されている。
【００５４】
本体部７は、図２に示すように、車輪部７１と、支柱部７２と、トレイ７３と、機器配置部７４とを含んでいる。なお、ナースカート１００ａ全体において、車輪部７１は下方部分を構成し、機器配置部７４は上方部分を構成し、支柱部７２は下方部分と上方部分とを繋ぐ中間部分を構成している。
【００５５】
車輪部７１は、一対の後輪７１ａと、一対の前輪７１ｂと、接続部７１ｃとを有している。
【００５６】
一対の後輪７１ａには、それぞれ、後輪７１ａの回動（ナースカート１００ａの移動）を規制するストッパー７１０ａが設けられている。また、接続部７１ｃは、水平方向（Ｘ方向およびＹ方向）に延びるＨ字形状に形成されている。また、接続部７１ｃの後方（Ｘ２方向）端部には後輪７１ａ、前方（Ｘ１方向）端部には前輪７１ｂが接続されている。また、接続部７１ｃの上面の中央部分には、支柱部７２が接続されている。
【００５７】
支柱部７２は、図５に示すように、支柱下部７２ａと、ガスシリンダー７２ｂと、支柱上部７２ｃとを有している。
【００５８】
支柱下部７２ａは、上下方向（Ｚ方向）に延びるとともに、水平断面（ＸＹ平面による断面）が矩形の筒形状に形成されている。また、支柱下部７２ａは、下方端部が接続部７１ｃに接続されている。支柱下部７２ａの後面（外表面）の上方側（Ｚ２方向側）には、バッテリ取付部２が設けられている。詳細には、支柱下部７２ａには、後方側（Ｘ２方向側）に板状部材１７２ａが設けられている。この板状部材１７２ａの上方側（Ｚ１方向側）には、バッテリ取付部２が設けられている。つまり、バッテリ取付部２は、板状部材１７２ａを介して支柱下部７２ａに設置されている。また、板状部材１７２ａと支柱下部７２ａ（後面）との間には、バッテリ取付部２から下方（Ｚ２方向）に延びる配線３が通される隙間９０が設けられている。これにより、バッテリ取付部２から下方（Ｚ２方向）に延びる配線３と、上下方向（Ｚ方向）に昇降（詳細については後述する）される支柱上部７２ｃとは、支柱下部７２ａの後面によって隔てられるので、支柱上部７２ｃの昇降時において、配線３と支柱上部７２ｃとが接触することを防止することができる。
【００５９】
ガスシリンダー７２ｂは、支柱下部７２ａおよび支柱上部７２ｃの内側に配置されている。したがって、ガスシリンダー７２ｂは、外部からは視認されない。また、ガスシリンダー７２ｂは、下方端部が接続部７１ｃに接続されている。また、ガスシリンダー７２ｂは、上方端部が機器配置部７４に接続されている。すなわち、ガスシリンダー７２ｂは、機器配置部７４（後述する天板部７４ａを含む機器配置部７４）を支持している。また、ガスシリンダー７２ｂは、伸縮することに伴って、機器配置部７４を昇降させることが可能に構成されている。なお、ガスシリンダー７２ｂによる昇降機構は、一般的な座椅子の昇降機構と同様の機構である。すなわち、ガスシリンダー７２ｂは、内部に圧縮状態でガスが封入されており、所定のレバー（図示せず）操作により封入されたガスを膨張させる（圧縮状態を解除する）ことによって、機器配置部７４を上昇させるように構成されている。
【００６０】
支柱上部７２ｃは、上下方向（Ｚ方向）に延びるとともに、水平断面（ＸＹ平面による断面）が矩形の筒形状に形成されている。また、支柱上部７２ｃは、上方側（Ｚ１方向側）から支柱下部７２ａの内側に嵌め込まれている。また、支柱下部７２ａは、上方端部が機器配置部７４に接続されている。したがって、支柱下部７２ａは、ガスシリンダー７２ｂにより、機器配置部７４とともに上下方向（Ｚ方向）に昇降されるように構成されている。
【００６１】
トレイ７３は、支柱下部７２ａの前方側（Ｘ１方向側）に１つ設けられている。また、トレイ７３は、バッテリ取付部２に略対応する高さ位置に設けられている。
【００６２】
機器配置部７４は、天板部７４ａと、予備バッテリ収納部７４ｂと、把持部７４ｃと、電力変換部用収納部７４ｄと、シールド部７４ｅとを有している。
【００６３】
天板部７４ａは、水平方向（Ｘ方向およびＹ方向）に延びる矩形の平板形状に形成されている。天板部７４ａは、樹脂材料や木材から形成されている。また、天板部７４ａ（本体部７）は、上面上に血圧等測定器Ｋ（図２参照）などの医療機器、および、ノートパソコンＮ（図２参照）などの情報機器が配置（載置）されている。なお、血圧等測定器Ｋは、アーム部Ａを介して天板部７４ａの上面に配置（載置）されている。
【００６４】
予備バッテリ収納部７４ｂは、天板部７４ａの下面の後方側（Ｘ２方向側）に設けられている。すなわち、予備バッテリ収納部７４ｂは、把持部７４ｃ近傍の、ユーザの手が容易に届く範囲に設けられている。また、予備バッテリ収納部７４ｂは、後方（Ｘ２方向）が開放された箱形状に形成されている。また、予備バッテリ収納部７４ｂは、バッテリ取付部２に取り付けられた（使用済み）バッテリ１と交換される予備のバッテリ１を収納可能なように構成されている。予備のバッテリ１は、爪部１２が前後方向（Ｘ方向）に並ぶようにして、予備バッテリ収納部７４ｂの後方側（Ｘ２方向側）（ユーザ側）に収納される。
【００６５】
ユーザに把持される把持部７４ｃは、天板部７４ａの後方端部（Ｘ２方向端部）近傍から、天板部７４ａよりも後方（Ｘ２方向）に延びている。また、把持部７４ｃは、左右方向（Ｙ方向）に延びるＵ字形状に形成されている。なお、把持部７４ｃは、ガスシリンダー７２ｂによる昇降機構により、使用するユーザに合わせて高さ位置を調整可能に構成されている。
【００６６】
電力変換部用収納部７４ｄは、天板部７４ａの下面の前方側（Ｘ１方向側）に設けられている。すなわち、電力変換部用収納部７４ｄは、予備バッテリ収納部７４ｂの前方（Ｘ１方向）に設けられている。また、電力変換部用収納部７４ｄは、箱形状に形成されている。また、電力変換部用収納部７４ｄには、電力変換部４が収納されている。また、電力変換部用収納部７４ｄの右側面（Ｙ１方向側の側面）には、第１コンセント５、第２コンセント６およびコンセント切替スイッチ３２ｃが配置されている。
【００６７】
図１に示すように、シールド部７４ｅは、導電性の部材から板状形状に形成されている。たとえば、導電性の部材としては、鉄板、または、導電性樹脂から形成された板部材などが考えられる。また、シールド部７４ｅは、電力変換部４と天板部７４ａとの間に、挟み込まれるように配置されている。すなわち、シールド部７４ｅは、電力変換部４と、血圧等測定器ＫおよびノートパソコンＮとの間に配置されている。また、シールド部７４ｅは、天板部７４ａの下面に沿って水平方向（Ｘ方向およびＹ方向）に延びている。また、シールド部７４ｅは、平面視において（Ｚ１方向側から見て）、少なくとも、電力変換部用収納部７４ｄの全域と重なる範囲に配置されている。また、シールド部７４ｅは、電力変換部４から発生し、上方（Ｚ１方向）に向かう（血圧等測定器ＫおよびノートパソコンＮ側に向かう）電磁波を反射（吸収）するように構成されている。
【００６８】
［支柱部内の配線の構成（方法）］
次に、図５および図６を参照して、支柱部７２内における配線３の構成（方法）について説明する。なお、接続端子２１から電力変換部４までの配線３の長さは、不変である。このため、昇降機構により機器配置部７４が下方（Ｚ２方向）に降ろされた場合には、接続端子２１と電力変換部４とを接続する配線３に余剰部分が発生してしまう。本発明では、この余剰部分が支柱部７２内で絡まることがないように構成されている。この点についても以下で説明する。
【００６９】
図５に示すように、配線３は、接続端子２１から支柱部７２内に入ると、まず、下方（Ｚ２方向）に延びている。そして、配線３は、車輪部７１の接続部７１ｃの近傍から、ガスシリンダー７２ｂに沿って、上方（Ｚ１方向）に延びている。また、配線３は、接続部７１ｃの上面から所定高さＨ１までは、上下方向（Ｚ方向）に所定間隔で並ぶ３つバンド９１によってガスシリンダー７２ｂに対して固定されている。なお、所定高さＨ１は、接続部７１ｃの上面からバッテリ取付部２までの高さＨ２よりも小さい。
【００７０】
また、配線３は、所定高さＨ１から機器配置部７４までは、ガスシリンダー７２ｂに対して螺旋状に巻回されている。そこから、配線３は、機器配置部７４内に侵入し、電力変換部４に接続されている。
【００７１】
次に、図５に示した機器配置部７４が、昇降機構により下方（Ｚ２方向）に降りた状態を示す図６について説明する。図５に示した状態と同様に、配線３は、所定高さＨ１から機器配置部７４までは、ガスシリンダー７２ｂに対して螺旋状に巻回されている。また、図６の状態では、所定高さＨ１から機器配置部７４のまでの距離（高さ）は、図５の状態よりも小さくなっている。また、配線３の巻き数は同じである。したがって、図６に示す、巻回された配線３間の距離Ｄ１は、図５に示す巻回された配線３間の距離Ｄ０よりも小さくなっている。つまり、機器配置部７４が下方（Ｚ２方向）に降ろされた場合に生じる配線３の余剰部分を、配線３の螺旋状に巻回した部分で吸収している。このようにして、ナースカート１００ａは、支柱部７２内で昇降時に配線３が絡まることを防止している。
【００７２】
［充電ステーションの構成］
図７を参照して、充電ステーション１００ｂの構成について説明する。
【００７３】
充電ステーション１００ｂは、多くのユーザ（看護師など）が常駐する場所（ナースステーションなど）に固定的に設置されている。また、充電ステーション１００ｂは、複数（６つ）の充電器１００ｃを含んでいる。各充電器１００ｃは、共に、１つのバッテリ１を取り付けることが可能に構成されている。したがって、充電ステーション１００ｂは、バッテリ１（バッテリ取付部２から取り外されたバッテリ１）を、最大で６つ取り付けて同時に充電することが可能なように構成されている。また、各充電器１００ｃは、商用電源Ｐから電力の供給を受けるように構成されている。また、各充電器１００ｃは、上下方向（Ｚ方向）に互いに重なるように１列に配置されている。すなわち、充電ステーション１００ｂは、小さなスペースに配置することが可能なように縦型に構成されている。
【００７４】
（第１実施形態の効果）
第１実施形態では、以下のような効果を得ることができる。
【００７５】
第１実施形態では、上記のように、バッテリ１がガイドされて着脱可能に取り付けられるバッテリ取付部２を設ける。これにより、ガイドに沿ってバッテリ１の取り付け、および、取り外しを行うことができるので、ナースカート１００ａに取り付けられた充電量が少なくなったバッテリ１を容易に取り外して、充電済みのバッテリ１と容易に交換することができる。
【００７６】
また、バッテリ取付部２に取り付けられたバッテリ１からの直流電力を商用電源の電圧に対応する所定の電圧の交流電力に変換する電力変換部４と、所定の電圧の交流電力を少なくとも医療機器に供給するための、電源プラグを接続可能な第１コンセント５および第２コンセント６とを設ける。ここで、医療機器の分野では、一般的に、各種医療機器は、所定電圧値の商用電源から電力供給を受けることにより使用可能（推奨される状態で使用可能）となるように設計されている。したがって、上記のように構成することにより、電力変換部４において、バッテリ１からの直流電力を商用電源の電圧に対応する所定の電圧の交流電力に変換することができるので、ナースカート１００ａ上（本体部７）に配置された医療機器（血圧等測定器Ｋなど）の電源プラグを第１コンセント５または第２コンセント６に接続することにより、医療機器（血圧等測定器Ｋなど）の使用時間を延長することができる。また、情報機器（ノートパソコンＮなど）に商用電源から電力を供給する際のように各種情報機器（ノートパソコンＮなど）に対応したＡＣ−ＤＣアダプターを使用した場合には、情報機器（ノートパソコンＮなど）に電力を供給することができるので、ナースカート１００ａ上（本体部７）に配置された情報機器（ノートパソコンＮなど）の使用時間も延長することができる。これにより、ユーザ（看護師など）は、ナースカート１００ａを用いて比較的長い時間継続して巡回を行うことができる。
【００７７】
また、第１実施形態では、上記のように、バッテリ取付部２に、バッテリ１と電気的に接続される接続端子２１と、バッテリ１の端子１５を接続端子２１の位置までガイドするガイド部２２とを設ける。これにより、ガイド部２２により、バッテリ１と接続端子２１とが電気的に接続される位置に、バッテリ１を容易にガイドすることができる。つまり、バッテリ取付部２にバッテリ１を容易に取り付けることができる。その結果、バッテリ１の交換作業に掛かる手間を軽減（時間を短縮）することができる。
【００７８】
また、第１実施形態では、上記のように、ガイド部２２を、上方から下方に延びるように形成し、バッテリ１の端子１５をバッテリ取付部２の接続端子２１に導くように、バッテリ１を上方から下方にスライド移動させてバッテリ取付部２に取付可能に構成する。これにより、バッテリ１が上方から下方にスライド移動されるので、バッテリ１の自重を利用してバッテリ１をガイド部２２に沿って容易にスライド移動させることができる。その結果、バッテリ取付部２にバッテリ１をより容易に取り付けることができる。また、取り付け状態でバッテリ１に下方への自重が働くので、バッテリ１が上方に外れにくいという利点もある。
【００７９】
また、第１実施形態では、上記のように、バッテリ取付部２に、バッテリ１が取り付けられることによりバッテリ１とバッテリ取付部２とが電気的に接続された状態で、バッテリ１が外れるのを防止する外れ防止部２３を設ける。これにより、バッテリ１に振動や衝撃が加わりやすいナースカート１００ａの使用時（移動時）において、外れ防止部２３によりバッテリ１とバッテリ取付部２とが電気的に接続された状態を確実に維持することができる。
【００８０】
また、第１実施形態では、上記のように、本体部７に、バッテリ取付部２に取り付けられたバッテリ１と交換される予備のバッテリ１を収納可能な予備バッテリ収納部７４ｂを設ける。これにより、バッテリ取付部２に取り付けられたバッテリ１の残量が少なくなった（なくなった）場合に、予備バッテリ収納部７４ｂに収納されている予備のバッテリ１と即座に交換することができるので、所定の充電位置にナースカート１００ａごとに移動させて充電を行う場合などとは異なり、充電時に拘束されることがないので、充電待機時間がない。これにより、ユーザがナースカート１００ａから離れることなく、医療機器（血圧等測定器Ｋなど）および情報機器（ノートパソコンＮなど）の使用を継続することができる。その結果、ナースカート１００ａ上に配置された医療機器（血圧等測定器Ｋなど）の使用時間をより延長することができる。
【００８１】
また、第１実施形態では、上記のように、本体部７に、医療機器（血圧等測定器Ｋなど）および情報機器（ノートパソコンＮなど）を載置可能な天板部７４ａと、天板部７４ａを支持する支柱部７２とを設け、バッテリ取付部２を、支柱部７２の外表面に設ける。これにより、支柱部７２の外表面に設けられたバッテリ取付部２にバッテリ１が取り付けられるので、ユーザから視認することができない本体部７内などにバッテリ１が取り付けられる場合と比較して、バッテリ１を容易に交換することができる。
【００８２】
また、第１実施形態では、上記のように、バッテリ取付部２と電力変換部４とを電気的に接続する配線３をさらに設け、配線３を、支柱部７２の内部を通す。これにより、配線３が外部に露出しないので、ナースカート１００ａの使用時において、配線３が作業の妨げになるのを防止することができる。また、配線３が外部に露出している場合と異なり、配線３に外部の物が引っかかるなどして配線３に負荷が加わるのを抑制することができるので、配線３に加わる負荷に起因する断線を防止することができる。また、既存の支柱部７２の内部が配線スペースとなるので、配線３のための専用スペースを設ける必要がなく、装置構成が複雑化するのを抑制することができる。
【００８３】
また、第１実施形態では、上記のように、バッテリ１を、支柱部７２の幅と略同じ大きさを有する直方体形状に形成する。これにより、所定方向において、支柱部７２からバッテリ１が大きく突き出すことなく、バッテリ１を支柱部７２（バッテリ取付部２）に取り付けることができるので、支柱部７２（バッテリ取付部２）に取り付けられたバッテリ１が作業の妨げになるのを抑制することができる。
【００８４】
また、第１実施形態では、上記のように、本体部７に、医療機器（血圧等測定器Ｋなど）および情報機器（ノートパソコンＮなど）を載置可能な天板部７４ａと、天板部７４ａと電力変換部４との間に配置され、天板部７４ａに沿って延びる導電性のシールド部７４ｅとを設ける。これにより、シールド部７４ｅによって、電力変換部４において発生する電磁波の影響により医療機器（血圧等測定器Ｋなど）の測定値が乱れるのを抑制することができる。
【００８５】
また、第１実施形態では、上記のように、所定の場所に固定的に設置され、ナースカート１００ａのバッテリ取付部２から取り外されたバッテリ１を複数取り付けて同時に充電することが可能な充電ステーション１００ｂを設ける。これにより、一度に複数のバッテリ１の充電を行なうことができるので、充電やバッテリ１の交換を効率的に行うことができる。また、ナースカート１００ａを使用するユーザが多く集まる場所に充電ステーション１００ｂを固定的に設置すれば、充電やバッテリ１の交換をより効率的に行うことができる。
【００８６】
また、第１実施形態では、上記のように、バッテリ１を、バッテリ取付部２に取り付けられた状態で外部に露出するように構成する。これにより、バッテリ１を外部から視認することができるので、バッテリ１をより容易に交換することができる。
【００８７】
［第２実施形態］
次に、図１、図８および図９を参照して、本発明の第２実施形態について説明する。この第２実施形態では、支柱下部７２ａにバッテリ取付部２を設けた上記第１実施形態とは異なり、機器配置部７４にバッテリ取付部２０２を設けた例について説明する。
【００８８】
図１に示すように、第２実施形態によるナースカートシステム２００は、ナースカート２００ａと、充電ステーション１００ｂとを備えている。また、ナースカート２００ａは、バッテリ１と、バッテリ取付部２０２と、配線２０３と、電力変換部４と、第１コンセント５および第２コンセント６と、機器配置部７４を含む本体部７（図８および９参照）とを備えている。
【００８９】
バッテリ取付部２０２は、図８に示すように、機器配置部７４に設けられている。詳細には、バッテリ取付部２０２は、左右方向（Ｙ方向）において、予備バッテリ収納部（図示せず）と並ぶように配置されている。したがって、バッテリ取付部２０２は、第１実施形態と比べて、把持部７４ｃ近傍に設けられている。また、バッテリ取付部２０２が設けられる面は、前方（Ｘ１方向）に向かうにつれて下方（Ｚ２方向）に傾斜している。したがって、バッテリ取付部２０２も傾斜している。なお、バッテリ取付部２０２自体の構成は、第１実施形態のバッテリ取付部２と同様である。バッテリ１は、上方側（Ｚ１方向側）から下方側（Ｚ２方向側）に向けて、斜め方向にスライド移動されることによりバッテリ取付部２０２に取り付けられる。
【００９０】
また、配線２０３は、図９に示すように、機器配置部７４内に配置され、バッテリ取付部２０２（バッテリ１）と電力変換部４とを電気的に接続している。
【００９１】
なお、第２実施形態のその他の構成は、上記第１実施形態と同様である。
【００９２】
（第２実施形態の効果）
第２実施形態では、以下のような効果を得ることができる。
【００９３】
第２実施形態では、上記第１実施形態と同様、バッテリ１がガイドされて着脱可能に取り付けられるバッテリ取付部２０２を設ける。これにより、ナースカート２００ａに取り付けられた充電量が少なくなったバッテリ１を容易に交換することができる。
【００９４】
また、第２実施形態では、上記のように、本体部７に、ユーザに把持される把持部７４ｃを設け、バッテリ取付部２０２を、把持部７４ｃ近傍に設ける。これにより、ナースカート２００ａを操作するユーザの手が容易に届く範囲にバッテリ取付部２０２が設けられるので、バッテリ１を容易に交換することができる。
【００９５】
なお、第２実施形態のその他の効果は、上記第１実施形態と同様である。
【００９６】
［第３実施形態］
次に、図１０および図１１を参照して、本発明の第３実施形態について説明する。この第３実施形態では、バッテリ取付部２を１つ設けた上記第１実施形態とは異なり、バッテリ取付部３０２を２つ設けた例について説明する。
【００９７】
図１０および図１１に示すように、第３実施形態によるナースカートシステム３００は、ナースカート３００ａと、充電ステーション１００ｂとを備えている。また、ナースカート３００ａは、バッテリ１と、バッテリ取付部３０２と、配線３０３と、電力変換部４と、第１コンセント５および第２コンセント６と、機器配置部７４（図１１参照）を含む本体部７と、切替スイッチ８とを備えている。
【００９８】
バッテリ取付部３０２は、図１１に示すように、機器配置部７４に設けられている。また、バッテリ取付部３０２は、左右方向（Ｙ方向）に並んで一対（２つ）設けられている。また、バッテリ取付部３０２が設けられる面は、第２実施形態と同様に、前方（Ｘ１方向）に向かうにつれて下方（Ｚ２方向）に傾斜している。したがって、バッテリ取付部３０２も傾斜している。また、一対のバッテリ取付部３０２は、互いに電力変換部４に対して並列接続されることにより電気的に接続されている。また、一対のバッテリ取付部３０２には、それぞれ、バッテリ残量表示部３０２ａが１つずつ設けられている。
【００９９】
バッテリ残量表示部３０２ａは、バッテリ取付部３０２に取り付けられたバッテリ１の残量（割合）を表示するように構成されている。バッテリ残量表示部３０２ａは、天板７４ａと把持部７４ｃとの間に上方側（Ｚ１方向側）を向くように配置されている。
【０１００】
配線３０３は、一対の第１配線３０３ａと、連結部３０３ｂと、第２配線３０３ｃとを含んでいる。
【０１０１】
一対の第１配線３０３ａは、それぞれ、一対のバッテリ取付部３０２に接続され、他方端が連結部３０３ｂに接続されている。
【０１０２】
連結部３０３ｂは、図１０に示すように、一対のヒューズ３０３ｄと、集約回路３０３ｅとを含んでいる。一対のヒューズ３０３ｄは、一対の第１配線３０３ｂの途中（位置）に１つずつ配置されている。集約回路３０３ｅは、一対の第１配線３０３ｂを連結しており、一方側のバッテリ１から他方側のバッテリ１に電流が流れるのを防止している。第２配線３０３ｃは、集約回路３０３ｅと電力変換部４とを電気的に接続している。
【０１０３】
切替スイッチ８は、一対の第１配線３０３ｂの途中（位置）にそれぞれ設けられている（接続されている）。また、切替スイッチ８は、バッテリ取付部３０２から電力変換部４に電力が供給される通電状態、および、バッテリ取付部３０２から電力変換部に電力が供給されない非通電状態とを切り替え可能に構成されている。詳細には、切替スイッチ８は、通電状態（ＯＮ状態）でバッテリ取付部３０２と電力変換部４とが電気的に接続されている状態、非通電状態（ＯＦＦ状態）でバッテリ取付部３０２と電力変換部４とが電気的に接続されていない状態とするように構成されている。
【０１０４】
なお、バッテリ取付部３０２から電力変換部４への電力供給には、１つのバッテリ１から供給する場合、および、複数（２つ）のバッテリ１からの供給する場合の２通りがある。たとえば、複数（２つ）のバッテリ取付部３０２にそれぞれバッテリ１が取り付けられている場合について説明する。この場合、一方側のバッテリ取付部３０２からの電力供給を切り替える切替スイッチ８が通電状態であり、他方側のバッテリ取付部３０２からの電力供給を切り替える切替スイッチ８が非通電状態であるならば、ナースカート３００ａは、１つのバッテリ１（一方側のバッテリ取付部３０２）から電力変換部４に電力供給する。また、２つの切替スイッチ８が共に通電状態であるならば、ナースカート３００ａは、２つのバッテリ１（２つのバッテリ取付部３０２）から電力変換部４に電力供給する。
【０１０５】
なお、第３実施形態のその他の構成は、上記第１実施形態と同様である。
【０１０６】
（第３実施形態の効果）
第３実施形態では、以下のような効果を得ることができる。
【０１０７】
第３実施形態では、上記第１実施形態と同様、バッテリ１がガイドされて着脱可能に取り付けられるバッテリ取付部３０２を設ける。これにより、ナースカート３００ａに取り付けられた充電量が少なくなったバッテリ１を容易に交換することができる。
【０１０８】
また、第３実施形態では、上記のように、バッテリ取付部３０２を２つ設け、２つのバッテリ取付部３０２を、互いに、電力変換部４に対して並列接続することにより電気的に接続する。これにより、２つのバッテリ取付部３０２が互いに電力変換部４に対して並列接続されているので、一方のバッテリ１の残量がなくなった場合やバッテリ交換時に一方のバッテリ１を取り外した場合に、電力変換部４への電力の供給が途切れることを防止することができる。
【０１０９】
また、第３実施形態では、上記のように、バッテリ取付部３０２に、バッテリ取付部３０２に取り付けられたバッテリ１の残量を表示するバッテリ残量表示部３０２ａを設ける。これにより、バッテリ残量表示部３０２ａによりユーザが容易にバッテリ１の残量を把握することができるので、バッテリ残量の少ないバッテリ１を適切に交換することができる。
【０１１０】
また、第３実施形態では、上記のように、バッテリ取付部３０２から電力変換部４に電力が供給される通電状態、および、バッテリ取付部３０２から電力変換部４に電力が供給されない非通電状態とを切り替え可能な切替スイッチ８を設ける。これにより、１つまたは複数のバッテリ１から電力変換部４に電力を供給する状態で装置を使用することができる。また、１つのバッテリ１から電力変換部４に電力を供給する場合には、バッテリ交換時に使用中のバッテリ１を取り外す前に、次に使用するバッテリ１が取り付けられたバッテリ取付部３０２を通電状態にしておくことにより、一時的に電力変換部３０２ｂへの電力の供給が途切れるのを防止することができる。
【０１１１】
なお、第３実施形態のその他の効果は、上記第１実施形態と同様である。
【０１１２】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１１３】
たとえば、上記第１〜第３実施形態では、医療機器として血圧等測定器に電力を供給するように構成した例を示したが、本発明はこれに限らない。本発明では、たとえば、医療機器として人間を診断する診断装置に電力を供給するように構成してもよい。
【０１１４】
また、上記第１〜第３実施形態では、情報機器としてノートパソコンに電力を供給するように構成した例を示したが、本発明はこれに限らない。本発明では、たとえば、情報機器としてタブレット端末などに電力を供給するように構成してもよい。また、医療機器に電力供給可能であるならば、情報機器に電力供給可能に構成しなくてもよい。
【０１１５】
また、上記第１〜第３実施形態では、バッテリの左右方向の幅を、支柱部の左右方向の幅と略同じ大きさにした例を示したが、本発明はこれに限らない。本発明では、バッテリの左右方向の幅が、支柱部の左右方向の幅と略同じ大きさでなくてもよい。
【０１１６】
また、上記第１〜第３実施形態では、ナースカートに１つのトレイを設けた例を示したが、本発明はこれに限らない。本発明では、ナースカートに複数のトレイを設けてもよい。
【０１１７】
また、上記第１実施形態では、支柱部内に配線を配置した（通した）例を示したが、本発明はこれに限らない。本発明では、支柱部外に配線を配置してもよい。
【０１１８】
また、上記第１実施形態では、支柱部内のガスシリンダーに配線を巻回した例を示したが、本発明はこれに限らない。本発明では、支柱部内のガスシリンダーに配線を巻回しなくてもよい。
【０１１９】
また、上記第１実施形態では、ガスシリンダーに対して配線の巻回を開始する高さ位置を、バッテリ取付部の位置よりも低い位置とした例を示したが、本発明はこれに限らない。本発明では、ガスシリンダーに対して配線の巻回を開始する高さ位置を、バッテリ取付部の位置と同じ、または、バッテリ取付部の位置よりも高い位置としてもよい。
【０１２０】
また、上記第１〜第３実施形態では、支柱部を水平断面が矩形の筒形状に形成した例を示したが、本発明はこれに限らない。本発明では、たとえば、支柱部を水平断面が三角形の筒形状に形成してもよい。
【０１２１】
また、上記第１〜第３実施形態では、充電ステーションにより最大で６つのバッテリを同時に充電可能なように構成した例を示したが、本発明はこれに限らない。本発明では、充電ステーションにより最大で６つ以外の複数のバッテリを同時に充電可能なように構成してもよい。
【０１２２】
また、上記第１〜第３実施形態では、充電ステーションを縦型（縦方向に長い形状）に構成した例を示したが、本発明はこれに限らない。本発明では、たとえば、充電ステーションを横型（横方向に長い形状）に構成してもよい。
【０１２３】
また、上記第１実施形態では、バッテリをバッテリ取付部に上方側から取り付けた例を示したが、本発明はこれに限らない。本発明では、たとえば、バッテリをバッテリ取付部に下方側から取り付けてもよい。
【０１２４】
また、上記第１〜第３実施形態では、バッテリ取付部を支柱下部または機器配置部に設けた例を示したが、本発明はこれに限らない。本発明では、たとえば、バッテリ取付部を支柱上部に設けてもよい。
【０１２５】
また、上記第１〜第３実施形態では、２つのコンセントを設けた例を示したが、本発明はこれに限らない。本発明では、１つまたは３つ以上のコンセントを設けてもよい。
【０１２６】
また、上記第１および第２実施形態では、予備のバッテリを予備バッテリ収納部内に載置することにより収納した例を示したが、本発明はこれに限らない。本発明では、予備のバッテリをバッテリ取付部と同様の機構により、固定状態で予備バッテリ収納部内に収納してもよい。
【０１２７】
また、上記第１〜第３実施形態では、直方体形状のバッテリを用いた例を示したが、本発明はこれに限らない。本発明では、平板形状のバッテリを用いてもよい。
【０１２８】
また、上記第２実施形態では、予備バッテリ収納部の右方向側にバッテリ取付部を設けた例を示したが、本発明はこれに限らない。本発明では、予備バッテリ収納部の左方向側にバッテリ取付部を設けてもよい。
【０１２９】
また、上記第１〜第３実施形態では、１つまたは２つのバッテリ取付部を設けた例を示したが、本発明はこれに限らない。本発明では、３つ以上のバッテリ取付部を設けてもよい。
【０１３０】
また、上記第２または第３実施形態では、バッテリ取付部を傾斜させた例を示したが、本発明はこれに限らない。本発明では、図１２に示す第３実施形態の変形例のナースカート４００ａように、バッテリ取付部４０２を傾斜させることなく水平に配置してもよい。なお、バッテリ１は、ユーザ側（Ｘ２方向側）から前方（Ｘ１方向）にスライド移動されることにより、バッテリ取付部４０２に取り付けられる。
【０１３１】
また、上記第３実施形態では、バッテリ取付部と同数（２つ）のバッテリ残量表示部を設けた例を示したが、本発明はこれに限らない。本発明では、複数のバッテリ取付部に対して１つのバッテリ残量表示部を設けてもよい。なお、この場合には、所定の切替操作によりバッテリ残量が表示されるバッテリ取付部（バッテリ）を切替可能に構成する。
【０１３２】
また、上記第１および第２実施形態では、上記第３実施形態とは異なりバッテリ取付部にバッテリ残量表示部を設けない例を示したが、本発明はこれに限らない。本発明では、上記第３実施形態のようにバッテリ取付部にバッテリ残量表示部を設けてもよい。
【０１３３】
また、上記第１および第２実施形態では、上記第３実施形態とは異なりバッテリ取付部に切替スイッチを設けない例を示したが、本発明はこれに限らない。本発明では、上記第３実施形態のようにバッテリ取付部に切替スイッチを設けてもよい。
【０１３４】
また、上記第３実施形態では、ナースカートが切替スイッチを備える例を示したが、本発明はこれに限らない。本発明では、ナースカートが切替スイッチを備えていなくてもよい。
【符号の説明】
【０１３５】
１  バッテリ
２、２０２、３０２、４０２  バッテリ取付部
３、２０３、３０３  配線
４  電力変換部
５  第１コンセント（コンセント）
６  第２コンセント（コンセント）
７  本体部
８  切替スイッチ
１５  端子
２１  接続端子
２２  ガイド部
２３  外れ防止部
７２  支柱部
７４ａ  天板部
７４ｂ  予備バッテリ収納部
７４ｃ  把持部
７４ｅ  シールド部
１００、２００、３００  ナースカートシステム
１００ａ、２００ａ、３００ａ、４００ａ  ナースカート
１００ｂ  充電ステーション
３０２ａ  バッテリ残量表示部
Ｋ  血圧等測定器（医療機器）
Ｎ  ノートパソコン（情報機器）
Ｐ  商用電源
【図１】
2017035434.tif 000003
【図２】
2017035434.tif 000004
【図３】
2017035434.tif 000005
【図４】
2017035434.tif 000006
【図５】
2017035434.tif 000007
【図６】
2017035434.tif 000008
【図７】
2017035434.tif 000009
【図８】
2017035434.tif 000010
【図９】
2017035434.tif 000011
【図１０】
2017035434.tif 000012
【図１１】
2017035434.tif 000013
【図１２】
2017035434.tif 000014